(57)【要約】【課題】  光エネルギーをエレベータかご内への電源供給或いはかご内照明に活用することにより、かご内電源用ケーブルの削減を図り、低コストのホームエレベータ装置を得る。【解決手段】  昇降路に設けられ、該昇降路を経由して光エネルギーをエレベータ乗かご１に向かって照射する光源１２と、乗かごの外側部に設けられ、光源からの光エネルギーを受光して電気エネルギーに変換するソーラパネル１５とを備え、ソーラパネルで変換された電気エネルーに基づいて、乗かご内の電気機器が動作する。また、乗かごの天井部に設けられた光拡散素材から成る採光窓１４を備え、光源からの光エネルギーを採光窓に照射し、該採光窓から乗かご内を照明する。【選択図】    図１
2005298149.tif 000002
【特許請求の範囲】
【請求項１】
昇降路に設けられ、該昇降路を経由して光エネルギーをエレベータ乗かごに向かって照射する光源と、
前記乗かごの外側部に設けられ、前記光源からの光エネルギーを受光して電気エネルギーに変換するソーラパネルとを備え、
前記ソーラパネルで変換された電気エネルギーに基づいて、前記乗かご内の電気機器が動作することを特徴とするホームエレベータ装置。
【請求項２】
昇降路に設けられ、該昇降路を経由して光エネルギーをエレベータ乗かごに向かって照射する光源と、
前記乗かごの外側部に設けられ、前記光源からの光エネルギーを受光して電気エネルギーに変換するソーラパネルと、
前記乗かごに設けられ、前記ソーラパネルで変換された電気エネルギーを一時蓄えるバッテリー装置とを備え、
前記ソーラパネルで変換された電気エネルギーに基づいて、前記乗かご内の電気機器が動作することを特徴とするホームエレベータ装置。
【請求項３】
昇降路に設けられ、該昇降路を経由して光エネルギーをエレベータ乗かごに向かって照射する光源と、
前記乗かごの天井部に設けられた光拡散素材から成る採光窓とを備え、
前記光源からの光エネルギーを前記採光窓に照射し、該採光窓から乗かご内を照明することを特徴とするホームエレベータ装置。
【請求項４】
光源は昇降路内を経由して乗かごに向かって光エネルギーを照射する際、光源の光軸が平行光軸となるように構成されていることを特徴とする請求項１〜請求項３のいずれかに記載のホームエレベータ装置。
【請求項５】
採光窓は、乳白アクリルまたは鱗状アクリルレンズの集合体から成る光拡散素材で構成されていることを特徴とする請求項３記載のホームエレベータ装置。
【請求項６】
かご操作盤に設けられ、昇降路の上向きにエレベータ操作信号を発信するリモコン装置等から成る操作信号発信器と、
昇降路上部に設けられ、該昇降路を経由して前記操作信号発信器からの光信号を検出する光受信部とを備え、
前記光受信部の検出信号に基づいて、制御盤を介してエレベータを制御することを特徴とする請求項１〜請求項３のいずれかに記載のホームエレベータ装置。
【発明の詳細な説明】
【技術分野】
【０００１】
この発明は、ホームエレベータ装置に関するものである。
【背景技術】
【０００２】
従来のホームエレベータ装置においては、少ない停止数の２停止のホームエレベータでも、操作盤や制御ケーブルが使用されているのが一般的である。エレベータ用制御ケーブルの一例としては、機械室の制御盤から、昇降路内のエレベータ乗かごに、かご内の照明電源や操作制御信号を電気的に接続するエレベータ用制御ケーブルの保護装置が知られている（例えば、特許文献１参照）。また、エレベータの制御ケーブル装置に関する他の例も知られている（例えば、特許文献２参照）。更にまた、制御信号を伝送するための制御信号伝送ケーブルを無くすため、無線信号を使ってかごと、かご外の制御手段との制御信号を伝送する技術も提案されている（例えば、特許文献３参照）。
【０００３】
【特許文献１】実開昭６０−４０３６８号公報
【特許文献２】実開昭５３−７７５６１号公報
【特許文献３】特開平５−５８５６５号公報
【発明の開示】
【発明が解決しようとする課題】
【０００４】
従来技術の特許文献１、２のように、昇降路内を上下に昇降移動するエレベータ乗かごに、照明電源や操作制御信号を繋ぐためには、特殊な柔軟性のある被覆に内蔵された電線を納めた制御ケーブルを、乗かごと昇降路壁に懸垂し乗かごの昇降に支障が無いよう余分のループを持たせている。このため装置が高価でしかも設置スペースも大きく、かご下のピット部分にもケーブル懸垂寸法を見込む必要があった。従来のエレベータ装置は、可動ケーブルを使って昇降路内にケーブルを懸垂させ配線する必要があり、昇降路内の配線を削減することはエレベータのコスト削減に繋がる。従って、制御信号を伝送するための制御信号伝送ケーブルを無くすため、特許文献３のように、無線信号を使ってかごと、かご外の制御手段との制御信号を伝送する技術もあるが、かご内で使用する電源を無線で供給する技術は無線信号の干渉等により安全性の問題があるため、昇降路内に電源用のケーブルを懸垂させて配線する必要があった。
【０００５】
この発明は、上述のような課題を解決するためになされたもので、光エネルギーをエレベータかご内への電源供給或いはかご内照明に活用することにより、かご内電源用ケーブルの削減を図り、低コストのホームエレベータ装置を提供することを目的とする。
【課題を解決するための手段】
【０００６】
この発明に係るホームエレベータ装置においては、昇降路に設けられ、該昇降路を経由して光エネルギーをエレベータ乗かごに向かって照射する光源と、乗かごの外側部に設けられ、光源からの光エネルギーを受光して電気エネルギーに変換するソーラパネルとを備え、ソーラパネルで変換された電気エネルーに基づいて、乗かご内の電気機器が動作するものである。
【０００７】
また、昇降路に設けられ、該昇降路を経由して光エネルギーをエレベータ乗かごに向かって照射する光源と、乗かごの天井部に設けられた光拡散素材から成る採光窓とを備え、
光源からの光エネルギーを採光窓に照射し、該採光窓から乗かご内を照明するものである。
【０００８】
また、かご操作盤に設けられ、昇降路の上向きにエレベータ操作信号を発信するリモコン装置等から成る操作信号発信器と、昇降路上部に設けられ、該昇降路を経由して操作信号発信器からの光信号を検出する光受信部とを備え、光受信部の検出信号に基づいて、制御盤を介してエレベータを制御するものである。  
【発明の効果】
【０００９】
この発明のホームエレベータ装置は、光エネルギーをエレベータかご内への電源供給或いはかご内照明に活用することにより、かご内電源用ケーブルの削減を図ることができる効果がある。
【発明を実施するための最良の形態】
【００１０】
実施の形態１．
図１はこの発明を実施するための実施の形態１におけるホームエレベータ装置を示す昇降路と乗かごの縦断面図、図２は図１の側面から見た縦断面図である。図において、１はエレベータの乗かご、１ａは乗かご１内の側壁に設けられたかご操作盤、２は乗かご１の天井、３はこの天井２に設けられた非常灯、４はかご床、１２は昇降路天井２７に設けられ、昇降路を経由して光エネルギーを乗かご１に向かって照射する光源、１２ａはこの光源１２の反射板、１３は光源１２から下向きに出力される平行光軸、１４は乗かご１の天井２に形成された開口部に嵌め込まれた光拡散素材から成る採光窓、１５は乗かご１の天井２上に設けられたソーラパネル、１６は乗かご１のかご操作盤１ａに設けられたテレビの光リモコン装置等から成る操作信号発信器で、昇降路の上向きにエレベータ操作信号を発信する。１７は昇降路天井２７に設けられた光受信部用センサーで、操作信号発信器１６からの光信号を検出する。１８は操作信号発信器１６から上向きに出力されるリモコンの光軸、１９はエレベータ乗場、２０は乗場の戸、２０ａはこの乗場の戸２０を開閉駆動する駆動装置、２１はかごの戸、２２は乗場の戸２０の係合ベーン、２３はかごの戸２１の係合くわえ部、２４は戸閉め安全装置の接触棒、２５は乗かご１の天井２上に設けられた小型バッテリー装置で、ソーラパネル１５からの電気エネルギーを一時蓄える。２６は行先階呼び乗場ボタン、２７は昇降路天井、２７ａは昇降路壁、２８は昇降路壁２７ａに設けられた制御盤、２９は乗かご１のかご操作盤１ａに設けられたインターホーン等の通報装置で、エレベータの着床報知や非常時のメッセージを報知する。３０は乗かご１のかご操作盤１ａに設けられた家庭用電話器の子機等から成る外部通報用電話器である。３１は乗かご１のかご操作盤１ａに設けられた操作説明板である。なお、かご操作盤１ａの上部には、テレビの光リモコン装置等からなる操作信号発信器１６を利用しているので、操作信号発信器１６の取り付け位置の上方に光通過用の穴１ｂが設けられている。
エレベータ設備に外部より投入された電源により昇降路天井２７に設けた光源１２が点灯する。この光源１２からの光軸を下向きの平行光軸１３として乗かご１の上部に照射して、採光窓１４から乗かご１内を照明することができる。ここで、光軸を平行光軸１３とする理由は、乗かご１が光源１２から遠ざかっても、照度がなるべく減らないようにするためである。
また、平行光軸１３を乗かご１に備えたソーラパネル１５に照射することにより光エネルギーを電気エネルギーに変換しその電気を小型バッテリー装置２５に蓄え、必要な乗かご１の電力とすることができる。
また、平行光軸１３を得るための電源は、エレベータ電源投入中は常時投入されているので、常に小型バッテリー装置２５に電気が補充されるので、乗かご１の操作信号や報知などで消費しても不足しなくなる。また、非常灯３の点灯も賄えるようにしている。
【００１１】
実施の形態２．
図３はこの発明の実施の形態２におけるホームエレベータ装置の平行光軸の構成例を示す。図３は光源１２の背面側である上部に設けられた反射板１２ａを球面状に構成し、反射光が下向きに平行になるように配置したものである。
【００１２】
実施の形態３．
図４はこの発明の実施の形態３におけるホームエレベータ装置の平行光軸の構成例を示す。図４は光源１２の前方である下部に凸レンズ１３ａを配置して、光軸が下向きに平行になるようにしたものである。
【００１３】
実施の形態４．
図５はこの発明の実施の形態４におけるホームエレベータ装置の光拡散素材から成る採光窓の構成例を示す一部断面図である。図５において、平行光軸１３の略半分を乗かご１の天井２に形成された開口部に嵌め込まれた乳白色アクリル等の光拡散素材から成る採光窓１４に照射することによって、かご内へ光が拡散されるので、かご内の照明とすることができる。ここでは、採光窓１４を構成する光拡散素材から成る水平な板を乗かご１内へ突出させて、光がかご内部に一様に拡散するようにしたものである。
【００１４】
実施の形態５．
図６はこの発明の実施の形態５におけるホームエレベータ装置の光拡散素材から成る採光窓の構成例を示す一部断面図である。図６において、平行光軸１３の略半分を乗かご１の天井２に形成された開口部に嵌め込まれた乳白色アクリル等の光拡散素材から成る採光窓１４に照射することによって、かご内へ光が拡散されるので、かご内の照明とすることができる。ここでは、採光窓１４を構成する光拡散素材から成る球面状の板を乗かご１内へ突出させて、光がかご内部に一様に拡散するようにしたものである。
【００１５】
実施の形態６．
図７はこの発明の実施の形態６におけるホームエレベータ装置の光拡散素材から成る採光窓の構成例を示す一部断面図である。図７において、平行光軸１３の略半分を乗かご１の天井２に形成された開口部に嵌め込まれた乳白色アクリル等の光拡散素材から成る採光窓１４に照射することによって、かご内へ光が拡散されるので、かご内の照明とすることができる。ここでは、採光窓１４を構成する光拡散素材を、細かい鱗状のレンズ体として並べた球面状の板を乗かご１内へ突出させたものである。これにより、レンズ作用で光を効率よく取り込め、かご内の隅々まで光を照射できる効果がある。
以上のように構成することで、かご内へ従来のような照明電源伝達のための制御ケーブルが不要となり、ホームエレベータ装置を安価に提供することができる。
【００１６】
実施の形態７．
図８はこの発明の実施の形態７におけるホームエレベータ装置の乗かごを示す縦断面図、図９はこの発明の実施の形態７におけるホームエレベータ装置の昇降路と乗かごを示す縦断面図である。なお、図中、図１及び図２と同一又は相当部分には同一符号を付してその説明を省略する。
実施の形態１によるホームエレベータ装置では、昇降路天井２７に光源１２を備え、乗かご１の天井２上面にソーラパネル１５と、光拡散素材から成る採光窓１４とを設けているが、ホームエレベータ装置はその性格上、通常は２〜３停止である。２停止では昇降路行程も２．５ｍ〜３．５ｍ程と低く、これで充分な電気エネルギーと照明照度を得られるが、昇降路行程が長い場合、例えば３停止で、昇降路行程５ｍ〜７ｍを越えて照射照度が心配な場合には、図８、図９に示すように、乗かご１の側面上部にもソーラパネル１５と光拡散素材から成る採光窓１４を設け、更に、低層階の昇降路壁２７ａの側面にも光源１２を配置した構成とする。これにより、昇降路行程が比較的高いホームエレベータ装置でも、乗かご１が、明かりが採光しにくい低位置に来た場合でも照度不足にならないようにしたものである。  
なお、実施の形態１〜７では、昇降路に光源を配置して光を平行光軸として乗かごのソーラパネル１５と光拡散素材から成る採光窓１４に照射する場合について説明したが、昇降路側面に採光窓を設け、太陽光を昇降路内部に取り入れるようにして、晴天で照度が確保できるときは光源を自動消灯するように構成すれば、より経済的なホームエレベータ装置とすることができる。
【００１７】
実施の形態８．
図１０はこの発明の実施の形態８におけるホームエレベータ装置の行先階呼び乗場ボタンを示す拡大斜視図、図１１はかご操作盤部分の一部拡大正面図である。
この実施の形態８では、まず乗客が乗場ボタン２６で自分の行きたい階のボタンを押すと、エレベータ乗かご１が来て乗場の戸２０、かごの戸２１が開く。この時、お年寄りや身体障害者であれば、戸開閉時間を遅くするボタンを押すことで戸開時間を長くすることができる。
乗客がかご内に乗り込むと、一定時間経過後に戸が自動で閉まりかごは自動で走行する。この時、行先階を変更したいならば、リモコン装置等から成る操作信号発信器１６のボタンを隣接する操作説明板３１に表示された操作表示に見合うボタンに訂正することができる。かごが行先階に到着すると自動で戸が開かれる。
かご操作盤１ａに設けられたリモコン装置等から成る操作信号発信器１６は、テレビの光リモコン装置等を利用しているので、リモコン装置の取付け位置の上方でかつかご操作盤１ａの上部に光通過用の穴１ｂが開けられている。また、昇降路天井２７には光受信部用センサー１７が対向して設けられている。このようにリモコン装置からの光軸１８と光受信部が対向しているので、受信不能になることが無い。また光受信部までの距離もホームエレベータ装置では３停止程度に限定しているので、せいぜい７ｍ程度であり、問題は無い。
またエレベータ使用中に故障が発生したら、外部通報用電話器３０で保守会社へ通報する。この電話器は家庭内で使用している電話器の子機をかご内に常設し、保守会社の電話番号を登録しておけばボタン操作１つで通話が可能で、操作説明板３１に何番を押せば保守会社へ通じることを明記すると良い。また電源補充は小型バッテリー装置２５から自動的に充電される。
また昇降路の平行光軸の光源１２が何等かの異常で消灯したときは、自動的に検出しかご内非常灯３を点灯し、インターホーン等の通報装置２９より乗客にメッセージを流し、速やかに行先階に行き、乗客を降ろし故障を自動で保守会社へ通報することができる。
戸閉め装置の駆動電源はかご１に無いので、戸閉め駆動装置２０ａは乗場の戸２０に取り付ける。またかごの戸２１は係合装置２２、２３で乗場の戸２０と一緒に開閉する。
戸安全装置は乗場の戸２０に取り付ける。例えば接触棒式安全装置なら障害物が当たっても安全に戸を反転できる。また光電装置式安全装置なら無接触で障害物を検出し戸を反転することができるのでお年寄りや身障者には好適である。
【００１８】
実施の形態９．
図１２はこの発明の実施の形態９におけるホームエレベータ装置の操作信号発信部分を示す一部拡大正面図である。
図１２において、３０は家庭用電話器の子機をかご操作盤１ａの操作信号発信器に代用したものである。
この実施の形態では電話器３０のボタン「１」を１階の行き先ボタンと設定し、例えば０５−３２４−５６２７と言うように認証番号で登録し、制御盤２８でそれを受信すると、１階の行き先ヘエレベータ乗かご１を走行させるようにする。
このように認証番号で登録することにより、他の電波による誤動作の確率を非常に少なくすることができるメリットがある。
この実施の形態のかご操作盤では、保守会社連絡用の外部通報用通話器も兼ねることができる。
【図面の簡単な説明】
【００１９】
【図１】この発明の実施の形態１におけるホームエレベータ装置を示す昇降路と乗かごの縦断面図である。
【図２】図１の側面から見た縦断面図である。
【図３】この発明の実施の形態２におけるホームエレベータ装置の平行光軸の構成例を示す図である。
【図４】この発明の実施の形態３におけるホームエレベータ装置の平行光軸の構成例を示す図である。
【図５】この発明の実施の形態４におけるホームエレベータ装置の光拡散素材から成る採光窓の構成例を示す一部断面図である。
【図６】この発明の実施の形態５におけるホームエレベータ装置の光拡散素材から成る採光窓の構成例を示す一部断面図である。
【図７】この発明の実施の形態６におけるホームエレベータ装置の光拡散素材から成る採光窓の構成例を示す一部断面図である。
【図８】この発明の実施の形態７におけるホームエレベータ装置の乗かごを示す縦断面図である。
【図９】この発明の実施の形態７におけるホームエレベータ装置の昇降路と乗かごを示す縦断面図である。
【図１０】この発明の実施の形態８におけるホームエレベータ装置の行先階呼び乗場ボタンを示す拡大斜視図である。
【図１１】この発明の実施の形態８におけるホームエレベータ装置の平行光軸の構成例を示す図である。
【図１２】この発明の実施の形態９におけるホームエレベータ装置の操作信号発信部分を示す一部拡大正面図である。
【符号の説明】
【００２０】
１  乗かご
１ａ  かご操作盤
２  かごの天井
３  非常灯
４  かご床
１２  光源
１２ａ  反射板
１３  平行光軸
１３ａ  凸レンズ
１４  採光窓
１５  ソーラパネル
１６  操作信号発信器（リモコン装置）
１７  光受信部用センサー
１８  リモコンの光軸
１９  エレベータ乗場
２０  乗場の戸
２０ａ  戸の駆動装置
２１  かごの戸
２２  係合ベーン
２３  係合くわえ部
２４  接触棒
２５  小型バッテリー装置
２６  行先階呼び乗場ボタン
２７  昇降路天井
２７ａ  昇降路壁
２８  制御盤
２９  インターホーン等の通報装置
３０  外部通報用電話器
３１  操作説明板
【図１】
2005298149.tif 000003
【図２】
2005298149.tif 000004
【図３】
2005298149.tif 000005
【図４】
2005298149.tif 000006
【図５】
2005298149.tif 000007
【図６】
2005298149.tif 000008
【図７】
2005298149.tif 000009
【図８】
2005298149.tif 000010
【図９】
2005298149.tif 000011
【図１０】
2005298149.tif 000012
【図１１】
2005298149.tif 000013
【図１２】
2005298149.tif 000014